(57)【特許請求の範囲】
【請求項１】
協調マルチポイント伝送に利用できる基地局であって、
ユーザ機器と前記協調マルチポイント伝送において互いに協調する協調基地局との間の上りチャネルの品質を取得するためのチャネル品質取得ユニットと、
取得した上りチャネルの品質と第1の品質閾値を比較することにより上記上りチャネルの品質の優劣を判断するためのチャネル品質判断ユニットと、
判断結果に基づいて対応する協調基地局への上記ユーザ機器のチャネル状態情報フィードバックを許可するかどうかを確定するためのフィードバック制御ユニットと、
如何にチャネル状態情報のフィードバックを行うかを指示する情報を、上記ユーザ機器に送信するための送信ユニットと、
チャネル状態情報の定義に基づいてフィードバックしようとするチャネル状態情報の数を確定するためのチャネル状態情報数確定ユニットと、
確定されたフィードバックすべきのチャネル状態情報の数に基づいて上記ユーザ機器が採用するフィードバック方式を確定するための第1のフィードバック方式確定ユニットと、
を含み、
上記判断結果は上記上りチャネルの品質が上記第1の品質閾値で表されるチャネルの品質よりも優れる場合に、フィードバック制御ユニットは、対応する協調基地局への上記ユーザ機器のチャネル状態情報フィードバックを許可するように確定し、上記判断結果は上りチャネルの品質が上記第1の品質閾値で表されるチャネルの品質よりも劣る場合に、フィードバック制御ユニットは、対応する協調基地局への上記ユーザ機器のチャネル状態情報フィードバックを許可しないように確定し、
フィードバックすべきチャネル状態情報の数が所定閾値よりも大きい場合に、第1のフィードバック方式確定ユニットは、時分割と非時分割とが混合したフィードバック方式を、上記ユーザ機器が採用するフィードバック方式として確定し、
フィードバックすべきチャネル状態情報の数が所定閾値以下の場合に、第1のフィードバック方式確定ユニットは、単一のフィードバック方式を、上記ユーザ機器が採用するフィードバック方式として確定する
基地局。
【請求項２】
上記第1の品質閾値は、上りチャネルの品質が上記第1の品質閾値で表されるチャネルの品質よりも優れる場合に、フィードバックするチャネル状態情報の復調結果がシステムの要求を満足し、且つ上りチャネルの品質が上記第1の品質閾値で表されるチャネルの品質より劣る場合に、フィードバックするチャネル状態情報の復調結果がシステムの要求を満足しないように設置される請求項1に記載の基地局。
【請求項３】
上記フィードバック制御ユニットは、上記ユーザ機器と協調基地局のうちマスタ基地局との間の上りチャネルの品質にかかわらず、上記ユーザ機器が非協調マルチポイント伝送でのフィードバック方式に従ってマスタ基地局にチャネル状態情報をフィードバックすることを許可するように配置される請求項1又は2に記載の基地局。
【請求項４】
フィードバックすべきのチャネル状態情報の数が所定閾値以下である場合に、第1のフィードバック方式確定ユニットは、非時分割フィードバック方式を、上記ユーザ機器が採用するフィードバック方式として確定し、その中、上記所定閾値は、フィードバックが必要なチャネル状態情報の数が上記所定閾値以下である場合に、非時分割多重化フィードバック方式による物理上りリンク制御チャネル又は物理上りリンク共用チャネルのカバーの低下はシステムが許容可能な範囲内にあり、フィードバックが必要なチャネル状態情報の数が上記所定閾値より大きい場合に、非時分割多重化フィードバック方式による物理上りリンク制御チャネル又は物理上りリンク共用チャネルのカバーの低下はシステムが許容可能な範囲を超えるように配置される請求項１に記載の基地局。
【請求項５】
フィードバックすべきのチャネル状態情報の数が所定閾値以下である場合に、第1のフィードバック方式確定ユニットは、時分割フィードバック方式を、上記ユーザ機器が採用するフィードバック方式として確定し、その中、上記所定閾値は、フィードバックが必要なチャネル状態情報の数が上記所定閾値以下である場合に、時分割フィードバック方式による時間遅延はシステムが許容可能な範囲内にあり、フィードバックが必要なチャネル状態情報の数が上記所定閾値よりも大きい場合に、時分割フィードバック方式による時間遅延はシステムが許容可能な範囲を超えるように配置される請求項１に記載の基地局。
【請求項６】
上記第1のフィードバック方式確定ユニットが時分割と非時分割との混合したフィードバック方式を上記ユーザ機器が採用するフィードバック方式として確定した場合に、上記チャネル状態情報の定義、及び上記ユーザ機器と各協調基地局との間の上りチャネルの品質に基づいて、上記チャネル状態情報に優先順位を設定するための優先順位設定ユニットと、
設定した優先順位に基づいて上記チャネル状態情報のフィードバック多重化方式を確定するための第2のフィードバック方式確定ユニットとをさらに含み、
その中、上記優先順位設定ユニットは、チャネルの品質の良い上りチャネルにより関連性のあるチャネル状態情報に、より高い優先順位を設定するように優先順位を設定し、
上記第2のフィードバック方式確定ユニットは、時分割多重化フィードバックを採用するチャネル状態情報の優先順位が非時分割多重化フィードバックを採用するチャネル状態情報の優先順位よりも高く、非時分割多重化フィードバックを採用するチャネル状態情報において、一組の同じ時間帯を共用する非時分割多重化のチャネル状態情報の数が少ないチャネル状態情報の優先順位が、他の一組の他の同じ時間帯を共用する非時分割多重化のチャネル状態情報の数が多いチャネル状態情報の優先順位よりも高くなるようにフィードバック多重化方式を確定する請求項１〜５の何れか一項に記載の基地局。
【請求項７】
上記第2のフィードバック方式確定ユニットは、優先順位の最も低い所定数のチャネル状態情報を選択して非時分割の多重化フィードバックを行い、残ったチャネル状態情報に対して時分割又は非時分割の多重化フィードバックを行うようにフィードバック多重化方式を確定し、その中、上記所定数は、フィードバックが必要なチャネル状態情報の数が上記所定数以下である場合に、非時分割多重化フィードバック方式による物理上りリンク制御チャネル又は物理上りリンク共用チャネルのカバーの低下はシステムが許容可能な範囲内にあり、フィードバックが必要なチャネル状態情報の数が上記所定数よりも大きい場合に、非時分割多重化フィードバック方式による物理上りリンク制御チャネル又は物理上りリンク共用チャネルのカバーの低下はシステムが許容可能な範囲を超えるように設置される請求項６に記載の基地局。
【請求項８】
上記フィードバック制御ユニットは、対応する協調基地局への上記ユーザ機器のチャネル状態情報の非周期的フィードバックを許可するかどうかのみを確定する請求項1に記載の基地局。
【請求項９】
上記チャネル状態情報は、チャネル状態を反映できる情報であり、チャネルの信号対干渉雑音比、チャネル状態マトリックス、チャネル状態マトリックスのランク、マルチパス時間遅延、ドップラーシフト、多入力多出力チャネルのランク、ビーム形成ベクトルの少なくとも一つを含む請求項1〜８の何れか一項に記載の基地局。
【請求項１０】
協調マルチポイント伝送に利用する無線通信方法であって、
ユーザ機器と前記協調マルチポイント伝送において互いに協調する協調基地局との間の上りチャネルの品質を取得するチャネル品質取得ステップと、
取得した上りチャネルの品質と第1の品質閾値を比較することにより上記上りチャネルの品質の優劣を判断するチャネル品質判断ステップと、
判断結果に基づいて、対応する協調基地局への上記ユーザ機器のチャネル状態情報フィードバックを許可するかどうかを確定するフィードバック制御ステップと、
如何にチャネル状態情報フィードバックを行うかを指示する情報を上記ユーザ機器に送信する送信ステップと、
チャネル状態情報の定義に基づいてフィードバックしようとするチャネル状態情報の数を確定するためのチャネル状態情報数確定ステップと、
確定されたフィードバックすべきのチャネル状態情報の数に基づいて上記ユーザ機器が採用するフィードバック方式を確定するための第1のフィードバック方式確定ステップと、
を含み、
その中、上記フィードバック制御ステップにおいて、判断結果は上記上りチャネルの品質が上記第1の品質閾値で表されるチャネルの品質よりも優れる場合に、対応する協調基地局への上記ユーザ機器のチャネル状態情報フィードバックを許可するように確定し、判断結果は上りチャネルの品質が上記第1の品質閾値で表されるチャネルの品質よりも劣る場合に、対応する協調基地局への上記ユーザ機器のチャネル状態情報フィードバックを許可しないように確定し、
上記フィードバック方式確定ステップにおいて、
フィードバックすべきチャネル状態情報の数が所定閾値よりも大きい場合に、第1のフィードバック方式確定ユニットは、時分割と非時分割とが混合したフィードバック方式を、上記ユーザ機器が採用するフィードバック方式として確定し、
フィードバックすべきチャネル状態情報の数が所定閾値以下の場合に、第1のフィードバック方式確定ユニットは、単一のフィードバック方式を、上記ユーザ機器が採用するフィードバック方式として確定する
無線通信方法。
【請求項１１】
協調マルチポイント伝送に利用できる基地局であって、
ユーザ機器と前記協調マルチポイント伝送において互いに協調する協調基地局との間の上りチャネルの品質を取得するためのチャネル品質取得ユニットと、
チャネル状態情報の定義、及び上記ユーザ機器と各協調基地局との間の上りチャネルの品質に基づいて、上記チャネル状態情報に優先順位を設定するための優先順位設定ユニットと、
ユーザ機器が時分割と非時分割との混合したフィードバック方式でチャネル状態情報をフィードバックする場合に、設定した優先順位に基づいて上記チャネル状態情報のフィードバック多重化方式を確定するフィードバック方式確定ユニットと、
確定したフィードバック多重化方式を指示する情報を上記ユーザ機器に送信するための送信ユニットとを含み、
上記優先順位設定ユニットは、チャネルの品質の良い上りチャネルにより関連性のあるチャネル状態情報に、より高い優先順位を設定するように優先順位を設定し、
上記フィードバック方式確定ユニットは、時分割多重化を採用するチャネル状態情報の優先順位が非時分割多重化を採用するチャネル状態情報の優先順位よりも高く、非時分割多重化フィードバックを採用するチャネル状態情報において、一組の同じ時間帯を共用する非時分割多重化のチャネル状態情報の数が少ないチャネル状態情報の優先順位が、他の一組の他の同じ時間帯を共用する非時分割多重化のチャネル状態情報の数が多いチャネル状態情報の優先順位よりも高くなるようにフィードバック多重化方式を確定する基地局。
【請求項１２】
上記フィードバック方式確定ユニットは、優先順位の最も低い所定数のチャネル状態情報を選択して非時分割の多重化フィードバックを行い、残ったチャネル状態情報に対して時分割又は非時分割の多重化フィードバックを行うようにフィードバック多重化方式を確定し、
上記所定数は、フィードバックが必要なチャネル状態情報の数が上記所定数以下の場合に、非時分割多重化マルチチャネル状態情報フィードバックによる物理上りリンク制御チャネル又は物理上りリンク共用チャネルのカバーの低下はシステムが許容可能な範囲内にあり、フィードバックが必要なチャネル状態情報の数が上記所定数より大きい場合に、非時分割多重化マルチチャネル状態情報フィードバックによる物理上りリンク制御チャネル又は物理上りリンク共用チャネルのカバーの低下はシステムが許容可能な範囲を超えるように設置される請求項１１に記載の基地局。
【請求項１３】
協調マルチポイント伝送に利用する無線通信方法であって、
ユーザ機器と前記協調マルチポイント伝送において互いに協調する協調基地局との間の上りチャネルの品質を取得するチャネル品質取得ステップと、
チャネル状態情報の定義、及び上記ユーザ機器と各協調基地局との間の上りチャネルの品質に基づいて、上記チャネル状態情報に優先順位を設定する優先順位設定ステップと、
ユーザ機器が時分割と非時分割との混合したフィードバック方式でチャネル状態情報をフィードバックする場合に、設定した優先順位に基づいて上記チャネル状態情報のフィードバック多重化方式を確定するフィードバック方式確定ステップと、
確定されたフィードバック多重化方式を指示する情報を上記ユーザ機器に送信する送信ステップとを含み、
その中、上記優先順位設定ステップにおいて、チャネルの品質の良い上りチャネルにより関連性のあるチャネル状態情報に、より高い優先順位を設定するように優先順位を設定し、
上記フィードバック方式確定ステップにおいて、時分割多重化を採用するチャネル状態情報の優先順位が非時分割多重化を採用するチャネル状態情報の優先順位よりも高く、非時分割多重化フィードバックを採用するチャネル状態情報において一組の同じ時間帯を共用する非時分割多重化のチャネル状態情報の数が少ないチャネル状態情報の優先順位が、他の一組の他の同じ時間帯を共用する非時分割多重化のチャネル状態情報の数が多いチャネル状態情報の優先順位よりも高くなるようにフィードバック多重化方式を確定する無線通信方法。
【請求項１４】
協調マルチポイント伝送に利用できる無線通信端末であって、
上記無線通信端末と前記協調マルチポイント伝送において互いに協調する各協調基地局との間の上りチャネルの品質を取得するためのチャネル品質取得ユニットと、
チャネル状態情報の定義、及び上記無線通信端末と各協調基地局との間の上りチャネルの品質に基づいて、上記チャネル状態情報に優先順位を設定するための優先順位設定ユニットと、
無線通信端末が時分割と非時分割との混合したフィードバック方式でチャネル状態情報をフィードバックする場合に、設定した優先順位に基づいて上記チャネル状態情報のフィードバック多重化方式を確定するためのフィードバック方式確定ユニットと、
上記フィードバック方式確定ユニットの確定結果に基づいてチャネル状態情報をフィードバックするためのフィードバックユニットとを含み、
その中、上記優先順位設定ユニットは、チャネルの品質の良い上りチャネルにより関連性のあるチャネル状態情報に、より高い優先順位を設定するように優先順位を設定し、
上記フィードバック方式確定ユニットは、時分割多重化を採用するチャネル状態情報の優先順位が非時分割多重化を採用するチャネル状態情報の優先順位よりも高く、非時分割多重化フィードバックを採用するチャネル状態情報において、一組の同じ時間帯を共用する非時分割多重化のチャネル状態情報の数が少ないチャネル状態情報の優先順位が、他の一組の同じ時間帯を共用する非時分割多重化のチャネル状態情報が多いチャネル状態情報の優先順位よりも高くなるようにフィードバック多重化方式を確定する無線通信端末。
【請求項１５】
協調マルチポイント伝送に利用できる無線通信端末であって、
チャネル状態情報の定義に基づいて、フィードバックすべきのチャネル状態情報の数を確定するためのチャネル状態情報数確定ユニットと、
確定されたフィードバックすべきのチャネル状態情報の数に基づいてチャネル状態情報のフィードバック方式を確定するためのフィードバック方式確定ユニットと、
上記フィードバック方式確定ユニットの確定結果に基づいてチャネル状態情報をフィードバックするためのフィードバックユニットとを含み、
フィードバックすべきのチャネル状態情報の数が所定閾値よりも大きい場合に、フィードバック方式確定ユニットは、時分割と非時分割との混合したフィードバック方式をチャネル状態情報のフィードバック方式として確定し、及び
フィードバックすべきのチャネル状態情報の数が所定閾値以下である場合に、フィードバック方式確定ユニットは、単一のフィードバック方式をチャネル状態情報のフィードバック方式として確定する無線通信端末。
【請求項１６】
フィードバックすべきのチャネル状態情報の数が所定閾値以下である場合に、上記フィードバック方式確定ユニットは、非時分割フィードバック方式をチャネル状態情報のフィードバック方式として確定し、上記所定閾値は、フィードバックが必要なチャネル状態情報の数が上記所定閾値以下である場合に、非時分割多重化フィードバック方式による物理上りリンク制御チャネル又は物理上りリンク共用チャネルのカバーの低下はシステムが許容可能な範囲内にあり、フィードバックが必要なチャネル状態情報の数が上記所定閾値よりも大きい場合に、非時分割多重化フィードバック方式による物理上りリンク制御チャネル又は物理上りリンク共用チャネルのカバーの低下はシステムが許容可能な範囲を超えるように設置される請求項１５に記載の無線通信端末。
【請求項１７】
フィードバックすべきのチャネル状態情報の数が所定閾値以下である場合に、上記フィードバック方式確定ユニットは、時分割フィードバック方式をチャネル状態情報のフィードバック方式として確定し、上記所定閾値は、フィードバックが必要なチャネル状態情報の数が上記所定閾値より小さい場合に、時分割フィードバック方式による時間遅延がシステムが許容可能な範囲内にあり、フィードバックが必要なチャネル状態情報の数が上記所定閾値より大きい場合に、時分割フィードバック方式による時間遅延がシステムが許容可能な範囲を超えるように設置される請求項１５に記載の無線通信端末。
【発明の詳細な説明】
【技術分野】
【０００１】
本発明は、無線通信分野に関し、特に、基地局、無線通信端末、無線通信システム及び無線通信方法に関する。
【背景技術】
【０００２】
近年、無線通信の付加的な性能の改善を実現するために第4世代のセルラーシステム（4G)の導入を検討している。4Gにおいて、協調マルチポイント（CoMP)伝送の技術は注目されている。
【発明の概要】
【発明が解決しようとする課題】
【０００３】
協調マルチポイント伝送は、複数の基地局同士を連携させることで通信端末とデータ通信を行う技術である。より詳しく、協調マルチポイント伝送とは、複数の基地局が同時に一つの通信端末とのデータ通信を実行する技術を指す。当該技術は、高データレート通信のカバーを拡大し、直交波周波数分割多重（OFDM)によるセルの間の干渉という問題を効果的に解決することができる。
【０００４】
協調マルチポイント伝送を行う無線通信システムにおいて、ユーザ機器としての無線通信端末は、各協調基地局へ下りチャネル状態を反映でき、基地局の送信方案の設計(協調マルチポイント伝送ポイントの集合、協調マルチポイントの送信方案、変調符号化方案等）の確定を助けるための各種の情報とパラメーターとをフィードバックする必要がある。下文では、この情報とパラメーターをチャネル状態情報と統一して称する。現在、協調マルチポイント伝送を行うマルチチャネル状態情報フィードバックは、複数のチャネル状態情報が時分割多重化（TDM)の方式を採用することと、他の例えば周波数分割多重化（FDM)又は符号分割多重化（CDM)の非時分割多重化の方式を採用することとの二つの方案がある。
【０００５】
時分割多重化の方案において、複数のチャネル状態情報が同一物理上りリンク制御チャネル（PUCCH)又は物理上りリンク共用チャネル（PUSCH)上で伝送され、異なる時間に基地局側に到達する。非時分割多重化の方案において、複数のチャネル状態情報は、例えば周波数分割多重化又は符号分割多重化の多重化方式を採用し、複数のチャネル状態情報が同時に基地局側に到達する。
【課題を解決するための手段】
【０００６】
時分割多重化方式でチャネル状態情報をフィードバックする方案は、キャリアアグリゲーション（CA)におけるマルチチャネル状態情報フィードバック方案に類似し、且つ元の標準に対する変更も大きくない。しかし、チャネル状態情報が、異なる時刻に基地局側に到達するため、当該方案は、スケジューリング時間遅延の問題をもたらし、マルチポイント協調伝送の性能を影響する可能性がある。
【０００７】
非時分割多重化方式でチャネル状態情報をフィードバックする方案は、複数のチャネル状態情報が同時に基地局側に到達することを許可することで、スケジューリング時間遅延の問題を避けることができる。しかし、フィードバックが必要なチャネル状態情報の数の増加につれて、PUCCH又はPUSCHのカバー範囲が低下してしまう。フィードバックの必要なチャネル状態情報の数が大きいほど、PUCCH又はPUSCHのカバーへの影響が深刻になる。
【０００８】
まとめると、マルチチャネル状態情報フィードバックは、スケジューリング時間遅延とPUCCH又はPUSCHカバーとの二つの要素に係る。上記二つの方案は、これら二つ要素にそれぞれに長所と短所を持っており、両者の間で満足させるバランスが取られていない。
【０００９】
また、現在、チャネル状態情報のフィードバックが必要な基地局を確定する時に、上りチャネルの品質を考慮していない。実際に、上りチャネルの品質が悪い場合に、PUCCH又はPUSCHの復調性能に深刻な影響を与える。
【００１０】
本発明は、以上の各種の問題を鑑みてなされたものである。本発明の目的は、新規且つ改善された基地局、無線通信端末、無線通信システム及び無線通信方法を提供し、上りチャネルの品質を考慮することにより、それにチャネル状態情報をフィードバックすることが必要な基地局を確定し、フィードバックする状態情報の数と上りチャネルの品質を考慮することにより、フィードバックに使用する具体的方式を確定することができることとする。
【００１１】
この思想を採用して上記問題を解決することは、まず、上りチャネルの品質のよい基地局のみにチャネル状態情報をフィードバックし、次に、それにフィードバックを行う必要のある基地局を確定した後に、フィードバックが必要なチャネル状態情報の数が少ない場合、非時分割のフィードバック方案のみを採用してもよく、フィードバックするチャネル状態情報の数が多い場合、非時分割のフィードバック方案を採用し、PUCCH又はPUSCHのカバーを大きく低減させる可能性があり、この場合に、混合した多重化フィードバック方案を採用することができる。なお、上りチャネルの品質に応じてチャネル状態情報の具体的な多重化フィードバック方式を確定し、チャネルの品質のよい上りチャネルにより関連するチャネル状態情報に、より高い多重化フィードバックの優先順位を与える。
【００１２】
具体的に、本開示の一方面によれば、協調マルチポイント伝送に利用できる基地局を提供し、ユーザ機器と調基地局との間の上りチャネルの品質を取得するためのチャネル品質取得ユニットと、取得した上りチャネルの品質と第1の品質閾値を比較することにより上りチャネルの品質の優劣を判断するためのチャネル品質判断ユニットと、判断結果に基づいて対応する協調基地局へのユーザ機器のチャネル状態情報フィードバックを許可するかどうかを確定するためのフィードバック制御ユニットと、如何にチャネル状態情報のフィードバックを行うかを指示する情報を、ユーザ機器に送信するための送信ユニットとを含み、判断結果は上りチャネルの品質が第1の品質閾値で表されるチャネルの品質よりも優れる場合に、フィードバック制御ユニットは、対応する協調基地局へのユーザ機器のチャネル状態情報フィードバックを許可するように確定し、判断結果は上りチャネルの品質が第1の品質閾値で表されるチャネルの品質よりも劣る場合に、フィードバック制御ユニットは、対応する協調基地局へのユーザ機器のチャネル状態情報フィードバックを許可しないように確定する。
【００１３】
また、本開示の一方面によれば、上記方面に言及された協調マルチポイント伝送に利用できる基地局を含む無線通信システムを提供する。
【００１４】
また、本開示の一方面によれば、協調マルチポイント伝送に利用する無線通信方法を提供し、ユーザ機器と協調基地局との間の上りチャネルの品質を取得するチャネル品質取得ステップと、取得された上りチャネルの品質と第1の品質閾値を比較することにより上りチャネルの品質の優劣を判断するチャネル品質判断ステップと、判断結果に基づいて、対応する協調基地局へのユーザ機器のチャネル状態情報フィードバックを許可するかどうかを確定するフィードバック制御ステップと、如何にチャネル状態情報フィードバックを行うかを指示する情報をユーザ機器に送信する送信ステップとを含み、その中、フィードバック制御ステップにおいて、判断結果は上りチャネルの品質が第1の品質閾値で表されるチャネルの品質よりも優れる場合に、対応する協調基地局へのユーザ機器のチャネル状態情報フィードバックを許可するように確定し、判断結果は上りチャネルの品質が第1の品質閾値で表されるチャネルの品質よりも劣る場合に、対応する協調基地局へのユーザ機器のチャネル状態情報フィードバックを許可しないように確定する。
【００１５】
また、本開示の一方面によれば、協調マルチポイント伝送に利用できる基地局を提供し、ユーザ機器と協調基地局との間の上りチャネルの品質を取得するためのチャネル品質取得ユニットと、チャネル状態情報の定義、及びユーザ機器と各協調基地局との間の上りチャネルの品質に基づいて、チャネル状態情報に優先順位を設定するための優先順位設定ユニットと、ユーザ機器が時分割と非時分割との混合したフィードバック方式でチャネル状態情報をフィードバックする場合に、設定した優先順位に基づいてチャネル状態情報のフィードバック多重化方式を確定するフィードバック方式確定ユニットと、確定したフィードバック多重化方式を指示する情報をユーザ機器に送信するための送信ユニットとを含み、優先順位設定ユニットは、チャネルの品質の良い上りチャネルにより関連性のあるチャネル状態情報に、より高い優先順位を設定するように優先順位を設定し、フィードバック方式確定ユニットは、時分割多重化を採用するチャネル状態情報の優先順位が非時分割多重化を採用するチャネル状態情報の優先順位よりも高く、非時分割多重化フィードバックを採用するチャネル状態情報において、一組の同じ時間帯を共用する非時分割多重化のチャネル状態情報の数が少ないチャネル状態情報の優先順位が、他の一組の他の同じ時間帯を共用する非時分割多重化のチャネル状態情報の数が多いチャネル状態情報の優先順位よりも高くなるようにフィードバック多重化方式を確定する。
【００１６】
また、本開示の一方面によれば、上記方面に言及された協調マルチポイント伝送に利用できる基地局を含む無線通信システムを提供する。
【００１７】
また、本開示の一方面によれば、協調マルチポイント伝送に利用する無線通信方法を提供し、ユーザ機器と協調基地局との間の上りチャネルの品質を取得するチャネル品質取得ステップと、チャネル状態情報の定義、及びユーザ機器と各協調基地局との間の上りチャネルの品質に基づいて、チャネル状態情報に優先順位を設定する優先順位設定ステップと、ユーザ機器が時分割と非時分割とが混合したフィードバック方式でチャネル状態情報をフィードバックする場合に、設定した優先順位に基づいてチャネル状態情報のフィードバック多重化方式を確定するフィードバック方式確定ステップと、確定したフィードバック多重化方式を指示する情報をユーザ機器に送信する送信ステップとを含み、その中、優先順位設定ステップにおいて、チャネルの品質の良い上りチャネルにより関連性のあるチャネル状態情報に、より高い優先順位を設定するように優先順位を設定し、フィードバック方式確定ステップにおいて、時分割多重化を採用するチャネル状態情報の優先順位が非時分割多重化を採用するチャネル状態情報の優先順位よりも高く、非時分割多重化フィードバックを採用するチャネル状態情報において、一組の同じ時間帯を共用する非時分割多重化のチャネル状態情報の数が少ないチャネル状態情報の優先順位が、他の一組の他の同じ時間帯を共用する非時分割多重化のチャネル状態情報の数が多いチャネル状態情報の優先順位よりも高くなるようにフィードバック多重化方式を確定する。
【００１８】
また、本開示の一方面によれば、協調マルチポイント伝送に利用できる無線通信端末を提供し、無線通信端末と各協調基地局との間の上りチャネルの品質を取得するためのチャネル品質取得ユニットと、チャネル状態情報の定義、及び無線通信端末と各協調基地局との間の上りチャネルの品質に基づいて、チャネル状態情報に優先順位を設定するための優先順位設定ユニットと、無線通信端末が時分割と非時分割との混合したフィードバック方式でチャネル状態情報をフィードバックする場合に、設定した優先順位に基づいてチャネル状態情報のフィードバック多重化方式を確定するためのフィードバック方式確定ユニットと、フィードバック方式確定ユニットの確定結果に基づいてチャネル状態情報をフィードバックするためのフィードバックユニットとを含み、その中、優先順位設定ユニットは、チャネルの品質の良い上りチャネルにより関連性のあるチャネル状態情報に、より高い優先順位を設定するように優先順位を設定し、フィードバック方式確定ユニットは、時分割多重化を採用するャネル状態情報の優先順位が非時分割多重化を採用するチャネル状態情報の優先順位よりも高く、非時分割多重化フィードバックを採用するチャネル状態情報において、一組の同じ時間帯を共用する非時分割多重化のチャネル状態情報の数が少ないチャネル状態情報の優先順位が、他の一組の同じ時間帯を共用する非時分割多重化のチャネル状態情報が多いチャネル状態情報の優先順位よりも高くなるようにフィードバック多重化方式を確定する。
【００１９】
また、本開示の一方面によれば、協調マルチポイント伝送に利用できる無線通信端末を提供し、チャネル状態情報の定義に基づいて、フィードバックすべきのチャネル状態情報の数を確定するためのチャネル状態情報数確定ユニットと、確定されたフィードバックすべきのチャネル状態情報の数に基づいてチャネル状態情報のフィードバック方式を確定するためのフィードバック方式確定ユニットと、フィードバック方式確定ユニットの確定結果に基づいてチャネル状態情報をフィードバックするためのフィードバックユニットとを含み、フィードバックすべきのチャネル状態情報の数が所定閾値よりも大きい場合に、フィードバック方式確定ユニットは、時分割と非時分割とが混合したフィードバック方式をチャネル状態情報のフィードバック方式として確定し、及びフィードバックすべきのチャネル状態情報の数が所定閾値以下である場合に、フィードバック方式確定ユニットは、単一のフィードバック方式をチャネル状態情報のフィードバック方式として確定する。
【００２０】
上記のように、本発明を利用し、上りチャネルの品質を考慮することによりフィードバックが必要なチャネル状態情報の基地局を確定し、且つフィードバックすべきの状態情報の数と上りチャネルの品質とを考慮することによりフィードバックに用いられる具体的方式を確定することができる。これにより、不必要なフィードバックのオーバーヘッドを低減させる一方、マルチポイント協調伝送システムのスケジューリング時間遅延とPUCCH又はPUSCHカバーの両者の間で満足させるバランスが取られる。
【図面の簡単な説明】
【００２１】
【図１】本発明の実施例による通信システム1の配置を例示する説明図である。
【図２】本発明の実施例に基づく基地局の機能構成を例示するブロック図である。
【図３】本発明の実施例に基づくチャネル状態情報フィードバックの制御方法を示すフローチャートである。
【図４】本発明の他の一実施例による基地局の機能構成を例示するブロック図である。
【図５】（a）と（b）は、それぞれ、チャネル状態情報に対して非時分割多重化、及び、時分割と非時分割との混合した多重化のフィードバック方式を示す模式図である。
【図６】本発明の他の一実施例による基地局の機能構成を例示するブロック図である。
【図７】本発明の実施例による基地局の機能構成を示すブロック図である。
【図８】本発明の実施例によるチャネル状態情報フィードバック多重化方式を確定する方法のフローチャートである。
【図９】本発明の実施例による通信端末の機能構成を模式的に示すブロック図である。
【発明を実施するための形態】
【００２２】
下文では、図面を参照しながら本発明の好適な実施形態を詳細に記述する。注意すべきことは、本明細書と図面において、同じ符号を使用して基本的に同じ機能と構成を有する部品を表し、重複な説明を省略する。
【００２３】
また、本明細書と図面において、基本的に同じな機能及び構成を有する複数の部品は、異なるアルファベットで接尾した同じ符号を使用して区別する。例えば、必要がある場合に、基本的に同じな機能及び構成を有する複数の部品同士を区別し、例えば、基地局10A、10B、10C、10Dである。しかし、個別に基本的に同じな機能及び構成を有する複数の部品を区別する必要がない場合に、同じな符号のみを付する。例えば、特に基地局10A、10B、10C、10Dを区別する必要がない場合に、簡単に基地局10と称する。
【００２４】
まず、図1を参照して本発明の実施例に基づく通信システム1の配置全体を記述する。
【００２５】
図1は、本発明の実施例による通信システム1の配置を例示する説明図である。図1に示すように、本発明の実施例による通信システム1は、複数の基地局10と通信端末20とを含む。
【００２６】
通信端末20(ユーザ機器）は、基地局10の制御下で基地局10と通信する。例えば、通信端末20は、基地局10から割り当てる下りリンク資源において受信処理を実行し、上りリンク資源において送信処理を実行する。
【００２７】
通信端末20は、例えば、パーソナルコンピュータ(PC)、家庭用映像処理装置（DVDレコーダー、ビデオテープレコーダーなど）、パーソナルデジタルアシスタント(PDA)、家庭用ゲーム機又は家電のような信息処理装置であってもよい。なお、通信端末20は、例えば携帯電話、パーソナル・ハンデイホン・システム（PHS)、携帯型音楽再生装置、携帯型映像処理装置又は携帯型ゲーム機のような移動通信装置であってもよい。
【００２８】
基地局10は、そのカバー内に位置する通信端末20と通信する。例えば、基地局10Aは、当該基地局10Aのカバー内に位置する通信端末20Aと通信する。本開示において、基地局10がマクロセル基地局(eNodeB)であると仮定して記述するが、基地局10がマクロセル基地局に限られるものではない。例えば、基地局10は、マクロセル基地局よりも最大送信電力が小さいピコセル/マイクロセル基地局であってもよいし、又は中継ノード或いはフェムトセル基地局であってもよい。
【００２９】
各基地局10の間には、データ通信を行うことで、協調マルチポイント伝送の実現に寄与することができる。協調する各基地局において、協調マルチポイント伝送の通信方式を停止して、従来の非協調方式を用いて通信する場合に通信端末20にサービスする基地局を、マスタ基地局と称する。マスタ基地局の以外の、協調する各基地局を他の基地局と称する。下文では、記述するチャネル状態情報フィードバックに対する制御における各操作を、基地局において行ってもよく、他の基地局のいずれかにおいて行ってもよく、マスタ基地局及び一つ又は若干の他の基地局で協調して行ってもよい。
【００３０】
次に、図2を参照して本発明の実施例に基づく基地局200の構成を詳細に記述する。
【００３１】
図2は、本発明の実施例に基づく基地局200の機能構成を例示するブロック図である。基地局200は、図1に示す通信システム1における基地局10の実例であってもよい。図2に示すように、本発明の実施例に基づく基地局200は、チャネル品質取得ユニット210と、チャネル品質判断ユニット220と、フィードバック制御ユニット230と、送信ユニット240とを含む。
【００３２】
チャネル品質取得ユニット210は、通信端末20と協調基地局との間の上りチャネルの品質を取得する。チャネル品質取得ユニット210は、本分野で常に採用される各種の方法を用いて上りチャネルの品質を取得することができる。例えば、相関上りチャネルを介して通信端末20から受信した通信信号（上りチャネル信号）に基づいて上りチャネルの品質を指示できるパラメーターの値を得る。例えば、上りチャネルの品質を指示できるパラメーターは、例えば、上り受信信号電力、上り受信信号信号対干渉雑音比等である。
【００３３】
チャネル品質判断ユニット220は、チャネル品質取得ユニット210により取得された上りチャネルの品質と所定の品質閾値Thl(「第1の品質閾値」に対応する）を比較することにより上りチャネルの品質の優劣を判断する。
【００３４】
システムの設計要求に基づいて品質閾値Thlを設計することができる。一つの例において、基地局がフィードバックしたチャネル状態情報を受信した場合に、当該チャネル状態情報を正確に復調できないと、当該フィードバックが非効率又は無効であると考慮した。この場合に、上りチャネルの品質がよくない基地局に対してチャネル状態情報のフィードバックを行う必要がない。従って、品質閾値Thlは、上りチャネルの品質が品質閾値Thlで表されるチャネルの品質よりも優れる場合に、フィードバックするチャネル状態情報の復調結果がシステム要求を満足でき、且つ、上りチャネルの品質が品質閾値Thlで表されるチャネルの品質よりも劣る場合に、フィードバックするチャネル状態情報の復調結果がシステム要求を満足できないように設置されてもよい。具体的に、閾値Thlをどのような値に確定するとシステム復調性能を満足できるかは、予めにシステムテストを行い、テスト結果に基づいて決定する必要がある。
【００３５】
フィードバック制御ユニット230は、チャネル品質判断ユニット220により提供された判断結果に基づいて、通信端末20の対応する協調基地局へのチャネル状態情報フィードバックを許可するかどうかを判断する。判断結果が、上りチャネルの品質が品質閾値Thlで表されるチャネルの品質よりも優れる場合に、フィードバック制御ユニット230は、通信端末20の対応する協調基地局へのチャネル状態情報フィードバックを許可するように確定し、判断結果が、上りチャネルの品質が品質閾値Thlで表されるチャネルの品質よりも劣る場合に、フィードバック制御ユニット230は、通信端末20の対応する協調基地局へのチャネル状態情報フィードバックを許可しないように確定する。
【００３６】
送信ユニット240は、如何にチャネル状態情報フィードバックを行うか指示する情報を、通信端末20に送信し、通信端末20は、基地局10から受信した、如何にチャネル状態情報のフィードバックを行うかを指示する情報に基づいてチャネル状態情報フィードバックを行う。如何にチャネル状態情報のフィードバックを行うかを指示する情報は、フィードバック制御ユニット230の確定結果及び他の方式で確定したチャネル状態情報の具体的フィードバック方式等を含んでもよい。
【００３７】
以上の実施例において、基地局200は、通信端末20と各協調基地局との間の上りチャネルの品質の優劣に基づいて、通信端末20の相関基地局へのチャネル状態情報フィードバックを許可するかどうかを確定する。フィードバックを許可する基地局を選択して、チャネル状態情報がフィードバックされた基地局の数を低減させることで、間接的にフィードバックが必要なチャネル状態情報の数を低減させ、チャネル状態情報のフィードバックが占有する通信資源を低減させる。
【００３８】
しかしながら、当該実施例において、協調基地局のうちマスタ基地局と協調基地局のうち他の基地局との間に区別していない。他の一つの実施例では、例えば、図1に示す通信システムにおいて、フィードバック制御ユニット230を、通信端末20と協調基地局10のうちマスタ基地局（例えば、基地局10A)との間の上りチャネルの品質にかかわらず、通信端末20が非協調マルチポイント伝送でのフィードバック方式に従ってマスタ基地局へのチャネル状態情報フィードバックを許可するように配置されてもよい。言い換えれば、フィードバック制御ユニット230は、通信端末20と協調基地局10のうちマスタ基地局10Aとの間の上りチャネルの品質にかかわらず、常にマスタ基地局へのチャネル状態情報フィードバックを許可するように配置されてもよい。このような配置は、マルチポイント協調と非マルチポイント協調との間の切り替えに寄与する。例えば、ある時刻に通信端末20がマルチポイント協調のサービスされる状態にあるが、その後、ある原因によって（例えば、通信端末20がマスタ基地局10Aへ移動している）、マルチポイント協調のサービスを必要としないと、非マルチポイント協調の状態に切り替え、マスタ基地局10Aのチャネル状態情報のみをフィードバックしてもよい。従って、マルチポイント協調であれ非マルチポイント協調の状態であれ、マスタ基地局に対する相関情報のフィードバック方式をそのまま保つと、マルチポイント協調と非マルチポイント協調との間の切り替えに寄与する。
【００３９】
図3は、本発明の実施例に基づくチャネル状態情報フィードバックの制御方法のフローチャートである。
【００４０】
ステップS301において、通信端末20と各協調基地局との間の上りチャネルの品質を取得する。、本分野で常に採用される各種の方法を用いて上りチャネルの品質を取得することができる。例えば、通信端末20から受信した上りチャネル信号に基づいて上りチャネルの品質を指示できるパラメーターの値を取得する。
【００４１】
ステップS302において、取得した上りチャネルの品質と所定の品質閾値Thlを比較することにより上りチャネルの品質の優劣を判断する。システムの設計要求に基づいて品質閾値Thlを設計することができる。例えば、品質閾値Thlは、上りチャネルの品質が品質閾値Thlで表されるチャネルの品質よりも優れる場合に、フィードバックするチャネル状態情報の復調結果がシステム要求を満足でき、且つ、上りチャネルの品質が品質閾値Thlで表されるチャネルの品質よりも劣る場合に、フィードバックするチャネル状態情報の復調結果がシステム要求を満足できないように設置されてもよい。
【００４２】
次に、ステップS303において、ステップS302における判断結果に基づいて、通信端末20の対応する協調基地局へのチャネル状態情報フィードバックを許可するかどうかを確定する。ステップS302で上りチャネルの品質が品質閾値Thlで表されるチャネルの品質よりも優れると判断された場合に、通信端末20の対応する協調基地局へのチャネル状態情報フィードバックを許可するように確定する。ステップS302において上りチャネルの品質が品質閾値Thlで表されるチャネルの品質よりも劣ると判断された場合に、通信端末20の対応する協調基地局へのチャネル状態情報フィードバックを許可しないように確定する。
【００４３】
ステップS304において、如何にチャネル状態情報のフィードバックを行うかを指示する情報を、通信端末20に送信して、通信端末20が対応する協調基地局に対してチャネル状態情報フィードバックを行うことを制御する。如何にチャネル状態情報のフィードバックを行うかを指示する情報は、ステップS303における確定結果、及びその方法に応じて確定したチャネル状態情報の具体的フィードバック方式を含んでもよい。
【００４４】
図2を参照して基地局200の機能構成を記述するように、図3に示す方法を用いて状態情報のフィードバックを制御する場合に、協調基地局のうちマスタ基地局と他の基地局とを区別することを考慮してもよい。即ち、他の基地局の上りチャネルの品質のみを判断し、マスタ基地局について、その上りチャネルの品質にかかわらず、非マルチポイント協調の方式に従ってチャネル状態情報をフィードバックする。
【００４５】
次に、図4を参照して本発明の他の一実施例に基づく基地局400の構成機能を記述する。類似して、基地局400は、図1に示す通信システムにおける基地局10の具体的実例と見なしてもよい。図4は、本発明の他の一実施例に基づく基地局400の機能構成を例示するブロック図である。
【００４６】
図4に示すように、基地局400は、チャネル品質取得ユニット210と、チャネル品質判断ユニット220と、フィードバック制御ユニット230と、送信ユニット240と、チャネル状態情報数確定ユニット450と、第1のフィードバック方式確定ユニット460とを含む。その中、チャネル品質取得ユニット210、チャネル品質判断ユニット220、フィードバック制御ユニット230、送信ユニット240は、図2を参照して説明した対応するユニットと同じ構成及び機能を有するので、ここで詳細な記述を省略する。
【００４７】
チャネル状態情報数確定ユニット450は、チャネル状態情報の定義に基づいて、フィードバックすべきのチャネル状態情報の数を確定することができる。チャネル状態情報の定義は、通信システムの設計要求に基づいて制定されてもよい。以下で例をあげてチャネル状態情報の定義に基づいてフィードバックすべきのチャネル状態情報の数を確定することの意味を説明する。
【００４８】
一つの例において、図1に示す通信システムにおける各マルチポイント協調基地局10A、10B、10C、10Dに対して、フィードバック制御ユニット230は、通信端末20のマスタ基地局10A、基地局10B、10Cへのチャネル状態情報フィードバックを許可するが、通信端末20の基地局10Dへのチャネル状態情報フィードバックを許可しないように確定すると仮定されている。そして、通信端末20がマスタ基地局10A、基地局10B、基地局10C、基地局10Dの受信信号電力をそれぞれS1、S2、S3、S4と、受信雑音電力をNと測定したとすると、例えば、以下の方式でフィードバックが必要なチャネル状態情報CSiを定義することができる：
【００４９】
【数１】
0006028869.tif 000002
【００５０】
本例において、チャネル状態情報は、信号対干渉雑音比の形式に定義される。勿論、チャネル状態情報は、これに限られるものではない。チャネル状態情報は、いかなるチャネル状態を反映できる情報であればよく、チャネル状態マトリックス、チャネル状態マトリックスのランク、マルチパス時間遅延、ドップラーシフト、多入力多出力チャネルのランク、ビーム形成ベクトルの少なくとも一つを含むがこれに限られない。
【００５１】
本例において、基地局10Dの上りチャネルの品質が悪いので、基地局10Dにチャネル状態情報をフィードバックしない。即ち、基地局10Dは、この時にマルチポイント伝送の協調に参加しない。従って、基地局10Dの受信信号を干渉信号と見なす。本例のこのようなチャネル状態情報の定義に基づいて、チャネル状態情報数確定ユニット450は、フィードバックすべきのチャネル状態情報の数が4であると確定する。
【００５２】
第1のフィードバック方式確定ユニット460は、確定された、フィードバックすべきのチャネル状態情報の数に基づいて、通信端末20が採用するフィードバック方式を確定することができる。現在、複数の、フィードバックすべきのチャネル状態情報の数に基づいてフィードバック方式を選択する方法がある。本発明の一つの実施例において、フィードバックすべきのチャネル状態情報の数が所定閾値M以下である場合に、第1のフィードバック方式確定ユニット460は、単一のフィードバック方式を、通信端末20が採用するチャネル状態情報フィードバック方式として確定する。単一のフィードバック方式は、時分割フィードバック方式又は非時分割フィードバック方式である。非時分割フィードバック方式は、例えば、周波数分割多重化フィードバック方式、符号分割多重化フィードバック方式、及びそのほかの非時分割フィードバック方式である。フィードバックすべきのチャネル状態情報の数が所定閾値Mより大きい場合に、第1のフィードバック方式確定ユニット460は、時分割と非時分割とが混合したフィードバック方式を、通信端末20が採用するチャネル状態情報フィードバック方式として確定する。
【００５３】
図5の（a）と（b）は、それぞれ、以上の例におけるチャネル状態情報CS1〜CS4に対して非時分割多重化及び時分割と非時分割が混合したフィードバック方式を行うことを模式的示している例示である。図5の（a）において、チャネル状態情報CS1〜CS4に対して非時分割多重化の方式を採用してフィードバックする。この場合に、いかなるフィードバック時間遅延が存在しないが、PUCCH又はPUSCHのカバーの著しい低下が生じ、システムが許容可能な範囲以外まで低減されてしまう可能性がある。この点を考慮して、本発明の一つの実施例において、以下のように閾値Mを設定することができ、即ち、フィードバックが必要なチャネル状態情報の数が所定閾値M以下である場合に、非時分割多重化フィードバック方式によるPUCCH又はPUSCHのカバーの低下がシステムが許容可能な範囲内にあり、フィードバックが必要なチャネル状態情報の数が所定閾値Mより大きい場合に、非時分割多重化フィードバック方式によるPUCCH又はPUSCHのカバーの低下がシステムが許容可能な範囲を超える。この設置原則に応じて、事前のシステムテストにより、システムがPUCCH又はPUSCHのカバーの低下に対する許容度を確定して閾値Mの値を確定することができる。
【００５４】
本例において、Mの値が3であると仮定されている。フィードバックが必要なチャネル状態情報が4であるので、第1のフィードバック方式確定ユニット360は、時分割と非時分割が混合したフィードバック方式を採用してチャネル状態情報をフィードバックする必要があると確定できる。フィードバックの具体的方式は、例えば、図5の（b）に示すようであってもよい。チャネル状態情報CS1とCS2との組合せ、チャネル状態情報CS3とCS4との組合せは、それぞれ、非時分割多重化の方式を採用し、これら二つの組合せの間には時分割多重化の方式を採用してフィードバックする（ここで2:2の方式）。勿論、1:3の方式を採用してフィードバックしてもよい。例えば、チャネル状態情報CS1を一組し、CS2〜CS4の非時分割多重化を一組し、二つの組の間では時分割多重化によりフィードバックしてもよい（図示せず）。
【００５５】
他の一つの実施例において、システムの設計に基づいて、第1のフィードバック方式確定ユニット460は、フィードバックが必要なチャネル状態情報の数が所定閾値M以下場合に、時分割多重化フィードバック方式を、通信端末20が採用するフィードバック方式として確定し、フィードバックが必要なチャネル状態情報の数が所定閾値Mより大きい場合に、時分割と非時分割多重化とが混合したフィードバック方式を、通信端末20が採用するフィードバック方式として確定してもよい。当該実施例において、時分割多重化フィードバックによる遅延を考慮して、フィードバックが必要なチャネル状態情報の数が所定閾値Mより小さい場合に、時分割フィードバック方式による時間遅延がシステムが許容可能な範囲にあり、フィードバックが必要なチャネル状態情報の数が所定閾値Mより大きい場合に、時分割フィードバック方式による時間遅延がシステムが許容可能な範囲を超えるように所定閾値Mを設置することができる。
【００５６】
第1のフィードバック方式確定ユニット460の確定が完成した後に、送信ユニット240は、如何にチャネル状態情報のフィードバックを行うかを指示する情報を、通信端末20(ユーザ機器)に送信する。如何にチャネル状態情報のフィードバックを行うかを指示する情報は、フィードバック制御ユニット230からの、どの基地局へのチャネル状態情報フィードバックを許可するかを確定した確定結果、及び第1のフィードバック方式確定ユニット460からの、フィードバックすべきのチャネル状態情報の数に基づいて確定した多重化フィードバック方式を含んでもよい。これにより、通信端末20は、ブロードキャストにより受信した制御情報に従って基地局10A〜10Cへチャネル状態情報CS1〜CS40フィードバックすることができる。
【００５７】
ここで説明することは、チャネル状態情報数確定ユニット450と第1のフィードバック方式確定ユニット460とが実現する機能は、通信端末20で完成されてもよい。例えば、通信端末20に設置されているチャネル状態情報数確定ユニットは、既知のチャネル状態情報の定義に基づいてフィードバックすべきのチャネル状態情報の数を確定してもよい。それから、通信端末20に設置されているフィードバック方式確定ユニットは、確定したフィードバックすべきのチャネル状態情報の数に基づいてチャネル状態情報のフィードバック方式を確定してもよい。なお、フィードバックすべきのチャネル状態情報の数が所定閾値以下である場合に、フィードバック方式確定ユニットが無線通信端末20に非時分割フィードバック方式によりチャネル状態情報をフィードバックさせ、フィードバックすべきのチャネル状態情報の数が所定閾値より大きい場合に、フィードバック方式確定ユニットが無線通信端末20に時分割と非時分割とが混合したフィードバック方式によりチャネル状態情報をフィードバックさせる。最後、フィードバックユニットは、フィードバック方式確定ユニットの確定結果に基づいて各基地局へチャネル状態情報をフィードバックする。
【００５８】
チャネル状態情報の数に基づいてフィードバック方式を選択する操作がユーザ機器側で完成されるが、所定閾値の確定原則が以上に記述した原則と同じであってもよい。ここで贅言しない。
【００５９】
次に、図6を参照して、本発明の他の一実施例に基づく基地局600の機能構成を記述する。同様に、基地局600は、図1に示す通信システムにおける基地局10の具体的実例と見なしてもよい。図6は、本発明の他の一実施例に基づく基地局600の機能構成を例示するブロック図である。
【００６０】
図6示すように、基地局600は、チャネル品質取得ユニット210と、チャネル品質判断ユニット220と、フィードバック制御ユニット230と、送信ユニット240と、チャネル状態情報数確定ユニット450と、第1のフィードバック方式確定ユニット460と、優先順位設定ユニット670と、第2のフィードバック方式確定ユニット680とを含む。その中、チャネル品質取得ユニット210、チャネル品質判断ユニット220、フィードバック制御ユニット230、送信ユニット240は、図2を参照して説明した対応するユニットと同じ構成と機能を有し、且つチャネル状態情報数確定ユニット450、第1のフィードバック方式確定ユニット460は、図4を参照して説明した対応するユニットと同じ構成と機能を有するので、ここで、それらの詳細な記述を省略する。
【００６１】
以上の例において、第1のフィードバック方式確定ユニット460は、通信端末20が時分割と非時分割とが混合したフィードバック方式を採用してチャネル状態情報CS1〜CS4をフィードバックするように確定した。以上のように、例えば、所定閾値がM=3となる場合に、CS1〜CS4の混合多重化フィードバックは、複数の組合せ方式を含み、例えば、CS1〜CS4の二つずつの組合せが非時分割多重化を行い、組合せの間で時分割多重化を行うという2:2方式、及びCS1〜CS4のうち三つが非時分割多重化を行い、残った一つが時分割多重化を行うという1:3方式がある。そして、2:2方式であれ1:3方式であれ、それぞれに各種の組合せの可能性を含む。この場合に、どの組合せ方式を採用するかは、システムのニーズに応じて、例えば、通信効率とPUCCHとPUSCHのカバーを影響する程度を考慮して決定してもよい。
【００６２】
図6に示す実施例において、通信端末20と協調基地局との上りチャネルのチャネルの品質に基づいて具体的混合多重化方式を確定するように試す。本実施例に基づく基地局600において、優先順位設定ユニット670は、第1のフィードバック方式確定ユニット460が時分割と非時分割とが混合したフィードバック方式を通信端末20が採用するフィードバック方式として確定した場合に、チャネル状態情報の定義及び通信端末20と各協調基地局との間の上りチャネルの品質に基づいて、チャネル状態情報に優先順位を設定する。例えば、優先順位設定ユニット670は、チャネルの品質の良い上りチャネルにより関連するチャネル状態情報により高い優先順位を設定するように優先順位を設定してもよい。
【００６３】
次に、第2のフィードバック方式確定ユニット680は、優先順位設定ユニット670が設定した優先順位に基づいてチャネル状態情報のフィードバック多重化方式を確定する。例えば、第2のフィードバック方式確定ユニット680は、時分割多重化を採用するチャネル状態情報の優先順位が非時分割多重化を採用するチャネル状態情報の優先順位よりも高く、非時分割多重化フィードバックを採用するチャネル状態情報において、一組の同じ時間帯を共用する非時分割多重化のチャネル状態情報の数が少ないチャネル状態情報の優先順位が、他の一組の他の時間帯を共有する非時分割多重化のチャネル状態情報の数が多いチャネル状態情報の優先順位よりも高くするようにフィードバック多重化方式を確定してもよい。
【００６４】
以下では例を挙げて説明する。以上で言及された例のように、通信端末20がチャネル状態CS1〜CS4をフィードバックすべきが、所定閾値M=3となると、第1のフィードバック方式確定ユニットは、分割と非時分割が混合したフィードバック方式を、通信端末20が採用するフィードバック方式として確定する。この際に、優先順位設定ユニット670は、チャネル状態情報の定義（本例において、信号対干渉雑音比）、及び通信端末20と各協調基地局との間の上りチャネルの品質に基づいて、CS1〜CS4に優先順位を設定する。
【００６５】
ここで、通信端末20と協調基地局10A〜10Dとの間の上りチャネルの品質がQ1〜Q4で、且つQ1〜Q4が降順で並べると仮定されている。言い換えれば、基地局10Aの上りチャネルの品質が基地局10Bの上りチャネルの品質よりも優れ、基地局10Bの上りチャネルの品質が基地局10Cの上りチャネルの品質よりも優れ、且つ基地局10Cの上りチャネルの品質が基地局10Dの上りチャネルの品質よりも優れる。以上で言及されたように、基地局10Dの上りチャネルの品質が最も悪いので、システムが上り情報復調性能に対する要求を満足できない。従って、基地局10Dにチャネル状態情報をフィードバックせずに、且つその受信信号電力S4を干渉信号電力とする。
【００６６】
【数２】
0006028869.tif 000003
【００６７】
CS1と基地局10Aの上りチャネルとの関連性が最も大きい。実際に、干渉と雑音が変わらない場合に、CS2からCS4とに比べると、CS1が基地局10Aの受信電力S1のみに関連する。従って、優先順位設定ユニット670は、CS1の優先順位を最も高い優先順位に設定する。これによって類推すると、基地局10Bの上りチャネルについて、CS3とCS4とに比べると，CS2がそれに最も関連性がある。従って、優先順位設定ユニット670は、CS2の優先順位を第二の優先順位に設定する。基地局10Cの上りチャネルについて、CS4に比べると、CS3がそれにより関連性がある。従って、優先順位設定ユニット670は、CS3の優先順位を第三の優先順位に設定する。CS4と各基地局との関連性が弱い。従って、優先順位設定ユニット670は、CS4の優先順位を最も低い優先順位に設定する。
【００６８】
次に、本実施例において、第2のフィードバック方式確定ユニット680は、優先順位設定ユニット670が設定した優先順位に基づいてチャネル状態情報のフィードバック多重化方式を確定する。例えば、CS1〜CS4について、CS1が最も高い優先順位を有し、閾値がM=3となるので、即ちシステムが三つのチャネル状態情報が非時分割多重化の状況を許容可能であり、第2のフィードバック方式確定ユニット680は、CS1が時分割多重化の方式を採用してフィードバックし、CS2〜CS4が非時分割多重化の方式を採用してフィードバックするようにフィードバック多重化方式を確定してもよい。勿論、CS1〜CS4の二つずつの組合せの2:2方式を採用でき、この際に、第2のフィードバック方式確定ユニット680は、いかなる一種の組合せ方式を確定してフィードバックすることができる。
【００６９】
他の一つの例において、五つのチャネル状態情報CS1〜CS5があり、それらの優先順位が降順で並べ、且つ所定閾値がM=3となる可能性がある。この際に、第2のフィードバック方式確定ユニット680は、優先順位がより高いチャネル状態情報CS1とCS2を一組として非時分割多重化フィードバックを行い、優先順位が低いチャネル状態情報CS3〜CS5を一組として非時分割多重化フィードバックを行うようにフィードバック多重化方式を確定できる。
【００７０】
一つの実施例において、第2のフィードバック方式確定ユニット680は、優先順位が最も低い所定数のチャネル状態情報を選択して非時分割の多重化フィードバックを行い、残ったチャネル状態情報に対して時分割又は非時分割の多重化フィードバックを行うようにチャネル状態情報の多重化フィードバック方式を確定してもよい。ここで、所定数は、フィードバックが必要なチャネル状態情報の数が当該所定数以下である場合に、非時分割多重化マルチチャネル状態情報のフィードバックによるPUCCH又はPUSCHのカバーの低下がシステムが許容可能な範囲内にあり、フィードバックが必要なチャネル状態情報の数が所定数より大きい場合に、非時分割多重化マルチチャネル状態情報フィードバックによるPUCCH又はPUSCHのカバーの低下がシステムが許容可能な範囲を超えるように設置されてもよい。
【００７１】
例えば、上記チャネル状態情報がCS1〜CS4であり、所定閾値がM=3となる例について、第2のフィードバック方式確定ユニット680は、優先順位が最も低い所定数（即ち3）のチャネル状態情報（即ちCS2〜CS4)を選択して非時分割の多重化フィードバックを行い、残ったチャネル状態情報（即ちCS1)に対して時分割多重化フィードバックを行うようにCS1〜CS4の多重化フィードバック方式を確定してもよい
【００７２】
上記チャネル状態情報がCS1〜CS5であり、所定閾値がM=3となる例について、第2のフィードバック方式確定ユニット680は、優先順位が最も低い所定数（即ち3）のチャネル状態情報（即ちCS3〜CS5)を選択して非時分割の多重化フィードバックを行い、残ったチャネル状態情報（即ちCS1〜CS2)に対して非時分割の多重化フィードバックを行うようにCS1〜CS5の多重化フィードバック方式を確定してもよい。
【００７３】
ここで説明することは、優先順位設定ユニット670と第2のフィードバック方式確定ユニット680の構成と実現は、図6に示す実施例における他のユニットによらなくてもよい。実際に、優先順位設定ユニットと第2のフィードバック方式確定ユニットとを独立に構成して、それらの機能を実現してもよい。以下では、図7を参照して説明する。
【００７４】
図7は、本発明の実施例に基づく基地局700の機能構成を示しているブロック図である。基地局700は、図1に示す通信システムにおける基地局10の実例と見なすことができる。図7に示すように，基地局700は、チャネル品質取得ユニット710と、優先順位設定ユニット720と、フィードバック方式確定ユニット730と、送信ユニット740とを含む。
【００７５】
チャネル品質取得ユニット710は、通信端末20と協調基地局との間の上りチャネルの品質を取得する。優先順位設定ユニット720は、チャネル状態情報の定義、及び通信端末20と各協調基地局との間の上りチャネルの品質に基づいて、チャネル状態情報に優先順位を設定する。なお、優先順位設定ユニット720は、チャネルの品質の良い上りチャネルにより関連性があるチャネル状態情報により高い優先順位を設定するように優先順位を設定してもよい。それから、通信端末20が時分割と非時分割とが混合したフィードバック方式でチャネル状態情報をフィードバックする場合に、フィードバック方式確定ユニット730は、優先順位設定ユニット720が設定した優先順位に基づいてチャネル状態情報のフィードバック多重化方式を確定し、確定結果を送信ユニット740に提供する。送信ユニット740は、確定したフィードバック多重化方式を指示する情報を通信端末20に送信する。
【００７６】
フィードバック方式確定ユニット730は、時分割多重化を採用するチャネル状態情報の優先順位が非時分割多重化を採用するチャネル状態情報の優先順位よりも高く、非時分割多重化を採用する場合に、一組の同じ時間帯を共用する非時分割多重化のチャネル状態情報の数が少ないチャネル状態情報の優先順位が、他の一組の他の同じ時間帯を共用する非時分割多重化のチャネル状態情報の数が多いチャネル状態情報の優先順位よりも高くするようにフィードバック多重化方式を確定してもよい
【００７７】
一つの実施例において、フィードバック方式確定ユニット730は、優先順位が最も低い所定数のチャネル状態情報を選択して非時分割の多重化フィードバックを行い、残ったチャネル状態情報に対して時分割又は非時分割の多重化フィードバックを行うようにフィードバック多重化方式を確定してもよい。ここで記述する「所定数」は、フィードバックが必要なチャネル状態情報の数が当該所定数以下である場合に、非時分割多重化マルチチャネル状態情報フィードバックによるPUCCH又はPUSCHのカバーの低下がシステムが許容可能な範囲内にあり、フィードバックが必要なチャネル状態情報の数が当該所定数より大きい場合に、非時分割多重化マルチチャネル状態情報フィードバックによるPUCCH又はPUSCHのカバーの低下がシステムが許容可能な範囲を超えるように設置されてもよい。
【００７８】
具体的に実現する例は、図6の実施例に対する説明で引用された例を参照し、ここで詳細に記述しない。
【００７９】
図8は、本発明の実施例に基づくチャネル状態情報フィードバック多重化方式を確定する方法を示しているフローチャートである。
【００８０】
図8に示すように、ステップS801において、通信端末と協調基地局との間の上りチャネルの品質を取得する。
【００８１】
ステップS802において、チャネル状態情報の定義、及び通信端末と各協調基地局との間の上りチャネルの品質に基づいて、チャネル状態情報に優先順位を設定する。例えば、チャネルの品質の良い上りチャネルにより関連性があるチャネル状態情報により高い優先順位を設定するように優先順位を設定してもよい。
【００８２】
ステップS803において、通信端末が時分割と非時分割とが混合したフィードバック方式でチャネル状態情報をフィードバックする場合に、設定した優先順位に基づいてチャネル状態情報のフィードバック多重化方式を確定する。例えば、時分割多重化を採用するチャネル状態情報の優先順位が非時分割多重化を採用するチャネル状態情報の優先順位よりも高く、非時分割多重化フィードバックを採用するチャネル状態情報において、一組の同じ時間帯を共用する非時分割多重化のチャネル状態情報の数が少ないチャネル状態情報の優先順位が、他の一組の他の同じ時間帯を共用する非時分割多重化のチャネル状態情報の数が多いチャネル状態情報の優先順位よりも高くするようにフィードバック多重化方式を確定してもよい。
【００８３】
ステップS804において、確定したフィードバック多重化方式を指示する情報を通信端末に送信する。
【００８４】
また、説明することは、上記した、チャネル状態情報に優先順位を設定し、優先順位に基づいて具体的フィードバック多重化方式を確定する機能は、ユーザ機器側でも完成できる。以下では、図9を参照して説明する。
【００８５】
図9は、本発明の実施例に基づく通信端末900の機能構成を模式的に示しているブロック図である。通信端末900は、図1に示す通信システムにおける通信端末20の実例と見なすことができる。図9に示すように、通信端末900は、チャネル品質取得ユニット910と、優先順位設定ユニット920と、フィードバック方式確定ユニット930と、フィードバックユニット940とを含む。
【００８６】
チャネル品質取得ユニット910は、通信端末と各協調基地局との間の上りチャネルの品質を取得する。例えば、チャネル品質取得ユニット910は、基地局から、通信端末と各協調基地局との間の上りチャネルの品質を指示する情報を受信してもよい。
【００８７】
優先順位設定ユニット920は、チャネル状態情報の定義、及び通信端末と各協調基地局との間の上りチャネルの品質に基づいてチャネル状態情報に優先順位を設定する。通信端末900は、基地局からチャネル状態情報の定義を指示する情報を受信してもよい。優先順位設定ユニット920は、チャネルの品質の良い上りチャネルにより関連性があるチャネル状態情報により高い優先順位を設定するように優先順位を設定してもよい。
【００８８】
無線通信端末が時分割と非時分割とが混合したフィードバック方式でチャネル状態情報をフィードバックする場合に、フィードバック方式確定ユニット930は、設定した優先順位に基づいてチャネル状態情報のフィードバック多重化方式を確定してもよい。例えば、フィードバック方式確定ユニット930は、時分割多重化を採用するチャネル状態情報の優先順位が非時分割多重化を採用するチャネル状態情報の優先順位よりも高く、非時分割多重化フィードバックを採用するチャネル状態情報において、一組の同じ時間帯を共用する非時分割多重化のチャネル状態情報の数が少ないチャネル状態情報の優先順位が、他の一組の他の同じ時間帯を共用する非時分割多重化のチャネル状態情報の数が多いチャネル状態情報の優先順位より高くするようにフィードバック多重化方式を確定してもよい。
【００８９】
最後に、フィードバックユニット940は、フィードバック方式確定ユニット930の確定結果に基づいてチャネル状態情報をフィードバックする。
【００９０】
また、図2〜図6で説明した各実施例に戻って、フィードバック制御ユニット230が協調マルチポイント伝送において周期的フィードバックと非周期的フィードバックを区別しない場合に、どの基地局へのチャネル状態情報フィードバックを許可するかを制御する。他の実施例において、周期的と非周期的フィードバックを区別して、非周期的フィードバックのみに対して図2〜図6に示す実施例の制御を行ってもよい。同様に、ある程度でフィードバックするチャネル状態情報の数を低減させることができる。
【００９１】
以上では、図面を参照して本発明の最適な実施例を詳細に記述し、同時に、勿論、本開示の技術範囲は上記の例示に限られるものではない。当業者は、請求項の範囲内で各種の取り替えと修正を得ることができるが、理解すべきことは、上記各種の取り替えと修正が本開示の技術的範囲に含まれる。
【００９２】
例えば、本開示の基地局又は通信端末の処理のステップは、必ずフローチャートに基づいて記述する順序のタイミングチャートに従って処理する必要がない。例えば、本開示の基地局又は通信端末の処理のステップは、フローチャートに記述する順序と異なる順序に従って、又は並行して処理してもよい。
【００９３】
また、コンピュータプログラムを作成し、当該コンピュータプログラムは、基地局又は通信端末に搭載したハードウエーア（例えば中央処理装置（CPU)、リードオンリーメモリ（ROM)、ランダムアクセスメモリ（RAM))に基地局又は通信端末の部品と同等の機能を実行させる。なお、コンピュータプログラムを記憶する記憶媒体をさらに提供する。
【図１】
0006028869.tif 000004
【図２】
0006028869.tif 000005
【図３】
0006028869.tif 000006
【図４】
0006028869.tif 000007
【図５】
0006028869.tif 000008
【図６】
0006028869.tif 000009
【図７】
0006028869.tif 000010
【図８】
0006028869.tif 000011
【図９】
0006028869.tif 000012